(57)【要約】      （修正有）【課題】設計通りの折り目をつけ、圧縮強度の強いダンボール紙を使用した包装材を提供する。【解決手段】波形シートを有するダンボール紙を使用した包装箱４であって、該波形の溝を波形シートの縦横方向に対して４５度のバイヤスに形成されるように裁断して組み立てたダンボール紙１を使用した包装箱４を構成するものである。【選択図】図１
0003109087.tif 000002
【実用新案登録請求の範囲】
【請求項１】
波形シート２を有するダンボール紙１を使用した包装箱４であって、該波形の溝５を波形シート２の縦横方向に対して４５度のバイヤスに形成して組み立てたことを特徴とするダンボール紙を使用した包装箱。
【請求項２】
ダンボール紙１が、外面は平板シート３で内面は波形シート２の二枚からなる請求項１に記載のダンボール紙を使用した包装箱。
【請求項３】
前記包装箱４は箱状に形成して６面を備えた１枚の段ボール紙１からなり、表面部１１と裏面部１２を備え、表面部１１と裏面部１２との間には、折り目３０ａ，３０ｂを介して後面部１３が設けられ、表面部１１には折り目３１ａ，３１ｂを介して側面部１４，１５が連接されており、裏面部１１には折り目３２ａ，３２ｂを介して側面部１６，１７が連接されており、折り目３３ａ，３３ｂを介して蓋面部１８，折り込み部１９が連接され、更に、側面部１６には折り目３４ａを介して耳部２０が連接され、側面部１７には折り目３４ｂを介して耳部２１が連接されて、表面部１１の側縁には凹部２２を設け、蓋面部１８には窓部２３が設けられている請求項１又は請求項２に記載のダンボール紙を使用した包装箱。
【考案の詳細な説明】
【技術分野】
【０００１】
本考案は、ダンボール紙を使用した包装材に係り、更に詳しくは設計通りの位置に折り目を入れることができ、ダンボール紙を使用した圧縮強度の強い包装箱に関するものである。
【背景技術】
【０００２】
ダンボール紙は、波形シ−トを有するため緩衝効果があり、箱・缶・カートン・コンテナ等輸送用の包装容器や、パレット等の重量物移送用の構造材として、広く利用されている。しかし、ダンボール紙は、波形の溝が、紙の給送方向に対して横方向につけられているため、方向性を有するものになっている。
【０００３】
例えば、特許文献１に示す環状蛍光灯の包装箱にも、段ボール紙が使用されている。この従来の段ボール紙は、波形シ−トの両外側に平板シ−トを接着した三枚ものからなっている。そして横方向につけられている波形の溝に沿って折り曲げるようにしているので、折曲面が波形の溝の位置にあたると、次の波形の山の位置で折り曲げてしまう場合もあって、折目が設計通りに正確につけられないという欠点があった。
【特許文献１】特開２００２−２７４５８２号公報
【０００４】
この段ボール紙を、波形シートの一側面のみに平板シートを接着した二枚ものにすることが出来れば、材料の節約になって好ましい。しかし、二枚もので組み立てられた箱は、溝の段に沿って凹み、圧縮すると撓んで強度も出ないものとなってしまう欠点があった。
【考案の開示】
【考案が解決しようとする課題】
【０００５】
上記の事情に鑑み、本考案が解決しようとする問題点は、設計通りの折り目をつけ、圧縮強度の強いダンボール紙を使用した包装箱を提供することを課題とする。
【課題を解決するための手段】
【０００６】
上記課題を達成するために、本考案は、波形シートを有するダンボール紙を使用した包装箱であって、該波形の溝を波形シートの縦横方向に対して４５度のバイヤスに形成されるように裁断して組み立てたダンボール紙を使用した包装箱を構成するものである。
【考案の効果】
【０００７】
本考案のダンボール紙を使用した包装箱は、機械適性も良くなり、設計図面通りの位置で折り目を入れることができるようになった。
【０００８】
本考案のダンボール紙を使用した包装箱は、組み立て箱の圧縮強度が強くなった。
【０００９】
本考案のダンボール紙を使用した包装箱は、外面が平板シートで内面が波形シートの二枚ものを使用すれば、緩衝材の役目を果たすことができる。
【考案を実施するための最良の形態】
【００１０】
以下図面に基づいて、本考案のダンボール紙を使用した包装箱を説明する。
【実施例】
【００１１】
図１は、本考案のダンボール紙を使用した包装箱の一実施例を示す環状蛍光灯の組み立て包装箱の蓋を開封した状態を示す斜視図、図２は、同ダンボール紙の一面を示す斜視図、図３は、同ダンボール紙の展開図である。
【００１２】
通常のダンボール紙は、波形シートの両面に平板シートを接着した三枚ものからなっているが、本実施例のダンボール紙１は、波形シート２の片面に平板シート３を接着した二枚ものからなっている。
【００１３】
このダンボール紙１を使用して組み立てた包装箱４は、外面Ｏが平板シート３で、内面１が波形シート２を使用するようにしている。従って波形シート２が、被包装物に接触して緩衝材の役目を果たすことになる。
【００１４】
但し、本考案のダンボール紙１は、波形の溝５を波形シート２の縦横方向に対して４５度のバイヤスに形成されるように裁断して組み立てる点に特徴がある。
【００１５】
包装箱４は箱状に形成して６面を備えた１枚の段ボールシートからなるものであり、図３に示すように、表面部１１と裏面部１２を備え、表面部１１と裏面部１２との間には、折り目３０ａ，３０ｂを介して後面部１３が設けられている。
【００１６】
表面部１１には折り目３１ａ，３１ｂを介して側面部１４，１５が連接さられており、裏面部１１には折り目３２ａ，３２ｂを介して側面部１６，１７が連接されており、折り目３３ａ，３３ｂを介して蓋面部１８，折り込み部１９が連接されている。更に、側面部１６には折り目３４ａを介して耳部２０が連接され、側面部１７には折り目３４ｂを介して耳部２１が連接されている。
【００１７】
表面部１１の側縁には凹部２２を設け、蓋面部１８には窓部２３が設けられている。そして、波形シートを有するダンボール紙の波形の溝５を波形シート２の縦横方向に対して４５度のバイヤスに形成されるように裁断したので、ダンボール紙の波形の溝５は４５度のバイヤスをなして設けられている。
【００１８】
上記１枚の段ボールシートから包装箱を組み立てるには、表面部１１から折り目３１ａ，３１ｂを介して側面部１４，１５を折起し、折り目３０ａ，３０ｂを介して後面部１３を折起すとともに折り目３２ａ，３２ｂを介して側面部１６，１７を折起す。
【００１９】
次いで、側面部１４，１５を外側にして側面部１６，１７を重合させ、側面部１６，１７の外面に糊付けして側面部１４，１５を貼着する。次いで折り目３４ａを介して耳部２０を内側に折り込み、折り目３４ｂを介して耳部２１も内側に折り込み、折り目３３ａを介して蓋面部１８を内側に折り込み、折り目３３ｂを介して折り込み部１９を表面部１の内側に折り込み、６面を備えた箱状に形成された包装箱４が組み立てられる。
【産業上の利用可能性】
【００２０】
本考案のダンボール紙を使用した包装箱は、ダンボール紙の波形シートを縦横方向に対して４５度のバイヤスに形成されるように裁断して組み立てることにより、箱・缶・カ−トン・コンテナ等輸送用の包装容器や、ダンボール紙を２層ないし３層重ねた強化ダンボール紙に至る包装材まで、広く利用することのできるものである。
【図面の簡単な説明】
【００２１】
【図１】本考案のダンボール紙を使用した包装材の一実施例を示す環状蛍光灯の組み立て包装箱の蓋を開封した状態を示す斜視図である。
【図２】同ダンボール紙の一面を示す斜視図である。
【図３】同ダンボール紙の展開図である。
【符号の説明】
【００２２】
１    ダンボール紙
２    波形シート
３    平板シート
４    包装箱
５ 
波形の溝
１１  表面部
１２  裏面部
１３  後面部
１４，１５，１６，１７  側面部
１８  蓋面部
１９  折り込み部
２０，２１  耳部
２２  凹部
２３  窓部
３１ａ，３１ｂ，３２ａ，３２ｂ，３３ａ，３３ｂ  折り目
３４ａ，３４ｂ  折り目
Ｉ 
内面
Ｏ 
外面
【図１】
0003109087.tif 000003
【図２】
0003109087.tif 000004
【図３】
0003109087.tif 000005